(57)【要約】【課題】小型とすることができる収納ケースを提供する。【解決手段】収納ケース１は、シート状で互いに重ね合わされている第一平面部１１と第二平面部１２とを備えた本体部１０を具備し、本体部１０の上下一対の縁部に上側開口部１５と下側開口部１６が形成されてなり、第一平面部１１と第二平面部１２との間にはマスク収容空隙Ｓが形成され、当該マスク収容空隙Ｓには、折り畳まれたマスクが収容可能とされてなる。【選択図】図１
0003228134.tif 000002
【実用新案登録請求の範囲】
【請求項１】
重ね合わされているシート状の第一平面部と第二平面部とを備え、前記第一平面部と前記第二平面部の外縁部のうち、前記第一平面部の一側縁部と第二平面部の一側縁部とが連続し、かつ前記第一平面部の他側縁部と第二平面部の他側縁部とが連続してなる本体部を具備し、
前記本体部の一側縁部および他側縁部を除く外縁部にあっては、互いに向かい合う一対の開口部が形成されてなる収納ケースであって、
前記第一平面部と前記第二平面部との間には収容空隙が形成されており、前記開口部を介して当該収容空隙に収容対象物が入れられた状態で当該収容対象物が前記第一平面部と前記第二平面部とで挟持されてなる
ことを特徴とする収納ケース。
【請求項２】
前記開口部の開口縁には、当該開口縁形状が凹凸形状とされた凹凸部で構成されている紐引掛部が設けられており、
前記収容空隙に収容された収容対象物に設けられた紐部が前記紐引掛部に引っ掛けられてなる
請求項１に記載の収納ケース。
【請求項３】
前記開口部の開口縁のうち、前記紐引掛部に隣接する位置には平坦部が形成されており、
前記平坦部を底部として、前記本体部が起立可能とされてなる
請求項２に記載の収納ケース。
【請求項４】
前記第一平面部および前記第二平面部のうち少なくとも一方には、貫通状の紐通し孔部が形成されてなり、当該紐通し孔部に、前記収容空隙に収容された収容対象物に設けられた紐部が挿通可能とされてなる
請求項１乃至請求項３のいずれか１項に記載の収納ケース。
【請求項５】
前記収容対象物が、紐状のマスク耳掛け部を有するマスクであり、
前記収容空隙がマスク収容空隙であり、当該マスク収容空隙に折り畳まれた状態のマスクが入れられた状態で当該マスクが前記第一平面部と前記第二平面部とで挟持されてなる
請求項１に記載の収納ケース。
【請求項６】
前記開口部の開口縁には、当該開口縁形状が凹凸形状とされた凹凸部で構成されている紐引掛部が設けられており、前記紐引掛部が、マスク耳掛け部引掛部であり、
前記マスク収容空隙にマスクが収容された状態で当該マスクのマスク耳掛け部が前記マスク耳掛け部引掛部に引っ掛けられてなる
請求項５に記載の収納ケース。
【請求項７】
前記開口部の開口縁のうち、前記マスク耳掛け部引掛部に隣接する位置には平坦部が形成されており、
前記平坦部を底部として、前記本体部が起立可能とされてなる
請求項６に記載の収納ケース。
【請求項８】
前記第一平面部および前記第二平面部のうち少なくとも一方には、貫通状のマスク耳掛け部通し孔部が形成されてなり、当該マスク耳掛け部通し孔部に、前記マスク収容空隙に収容されたマスクのマスク耳掛け部が挿通可能とされてなる
請求項５乃至請求項７のいずれか１項に記載の収納ケース。
【考案の詳細な説明】
【技術分野】
【０００１】
本考案は、収納対象物を収納することができる収納ケースに関する。
【背景技術】
【０００２】
従来、例えば特許文献１に開示されているような、収納ケースが知られている。
【先行技術文献】
【特許文献】
【０００３】
【特許文献１】実用新案登録第３２２２１０３号公報
【考案の概要】
【考案が解決しようとする課題】
【０００４】
しかしながら、特許文献１の収納ケースにあっては、収納対象物に比べて収納ケースが大型化する問題があり、より一層コンパクトな収納ケースが求められている。
【０００５】
本考案は、小型化された収納ケースを提供することを目的とする。
【課題を解決するための手段】
【０００６】
本考案は、重ね合わされているシート状の第一平面部と第二平面部とを備え、前記第一平面部と前記第二平面部の外縁部のうち、前記第一平面部の一側縁部と第二平面部の一側縁部とが連続し、かつ前記第一平面部の他側縁部と第二平面部の他側縁部とが連続してなる本体部を具備し、前記本体部の一側縁部および他側縁部を除く外縁部にあっては、互いに向かい合う一対の開口部が形成されてなる収納ケースであって、前記第一平面部と前記第二平面部との間には収容空隙が形成されており、前記開口部を介して当該収容空隙に収容対象物が入れられた状態で当該収容対象物が前記第一平面部と前記第二平面部とで挟持されてなることを特徴とする収納ケースである。
【０００７】
かかる構成では、例えば収容対象物を折り畳んだ状態で開口部から収容空隙に差し入れ、第一平面部と第二平面部とで収容対象物を挟んだ状態とすることができる。このため、収容対象物は収納ケースから脱落しにくく、しかも収納ケースの全体の寸法を収納対象物の寸法に対して小さくすることができ、持ち運び易い利点がある。
【０００８】
また、前記開口部の開口縁には、当該開口縁形状が凹凸形状とされた凹凸部で構成されている紐引掛部が設けられており、前記収容空隙に収容された収容対象物に設けられた紐部が前記紐引掛部に引っ掛けられてなる構成が提案される。
【０００９】
かかる構成とすることにより、収納対象物が本体部から容易に脱落してしまうことを効果的に防止することができる。
【００１０】
また、前記開口部の開口縁のうち、前記紐引掛部に隣接する位置には平坦部が形成されており、前記平坦部を底部として、前記本体部が起立可能とされてなる構成が提案される。
【００１１】
かかる構成とすることにより、収納対象物が収納された状態で、縦向きの状態で陳列することが可能となる。
【００１２】
また、前記第一平面部および前記第二平面部のうち少なくとも一方には、貫通状の紐通し孔部が形成されてなり、当該紐通し孔部に、前記収容空隙に収容された収容対象物に設けられた紐部が挿通可能とされてなる構成が提案される。
【００１３】
かかる構成とすることにより、収納対象物に設けられた紐部を持ち手として利用することが可能となる。
【００１４】
また、前記収容対象物が、紐状のマスク耳掛け部を有するマスクであり、前記収容空隙がマスク収容空隙であり、当該マスク収容空隙に折り畳まれた状態のマスクが入れられた状態で当該マスクが前記第一平面部と前記第二平面部とで挟持されてなる構成が提案される。
【００１５】
かかる構成にあっては、前記第一平面部と前記第二平面部との間に形成されたマスク収容空隙に折り畳まれたマスクを収容することができるため、収納ケースを薄く、小型でコンパクトなものとすることができる。また、マスクを折り畳んで収容することで、例えば使用者に触れるマスク面を内側にして折り畳んで汚染を好適に防ぐことができる。
【００１６】
また、前記開口部の開口縁には、当該開口縁形状が凹凸形状とされた凹凸部で構成されている紐引掛部が設けられており、前記紐引掛部が、マスク耳掛け部引掛部であり、前記マスク収容空隙にマスクが収容された状態で当該マスクのマスク耳掛け部が前記マスク耳掛け部引掛部に引っ掛けられてなる構成が提案される。
【００１７】
かかる構成とすることにより、マスクを前記マスク収容空隙に安定して保持させることができる。
【００１８】
さらに、前記開口部の開口縁のうち、前記マスク耳掛け部引掛部に隣接する位置には平坦部が形成されており、前記平坦部を底部として、前記本体部が起立可能とされてなる構成が提案される。
【００１９】
かかる構成とすることにより、例えば食事中にマスクを前記収納ケースに収容したときに、テーブルの上で本体部を起立状態で置いておくことができる。
【００２０】
また、前記第一平面部および前記第二平面部のうち少なくとも一方には、貫通状のマスク耳掛け部通し孔部が形成されてなり、当該マスク耳掛け部通し孔部に、前記マスク収容空隙に収容されたマスクのマスク耳掛け部が挿通可能とされてなる構成が提案される。
【００２１】
かかる構成とすることにより、前記マスク耳掛け部通し孔部に挿通された前記マスク耳掛け部を所定の部位に引っ掛けて収納ケースごと吊り下げておくことができる。
【考案の効果】
【００２２】
本考案にかかる収納ケースは、小型で持ち運び易い効果がある。
【図面の簡単な説明】
【００２３】
【図１】実施例にかかる収納ケースの斜視図である。
【図２】実施例にかかるマスクの折り畳み方法を示す説明図である。
【図３】（ａ）は、収納ケースにマスクを収容した状態の一例を示す斜視図であり、（ｂ）は収納ケースにマスクを収容した状態の他の例を示す斜視図である。
【図４】収納ケースの紐通し孔部にマスク耳掛け部部が挿通された状態を示す斜視図である。
【図５】他の実施例にかかる収納ケースの斜視図である。
【図６】さらに他の実施例にかかる収納ケースの斜視図である。
【図７】収納ケースの使用態様を示す説明図である。
【考案を実施するための形態】
【００２４】
以下に本考案を具体化した実施例を詳細に説明する。なお、本考案は、下記に示す実施例に限定されることはなく、適宜、設計変更が可能である。
【００２５】
収納ケース１は、図１、図３、図４に示すように、矩形シート状の第一平面部１１と矩形シート状の第二平面部１２とが互いに重ね合わされた本体部１０を有している。さらに詳述すると、本体部１０は、第一平面部１１の左縁部（一側縁部）と第二平面部１２の左縁部（一側縁部）とが互いに連続し、第一平面部１１の右縁部（他側縁部）と第二平面部１２の右縁部（他側縁部）とが互いに連続している。なお、本体部１０の外縁部のうち、前記左右一対の縁部を除く部位に相当する上下一対の縁部にあっては、上側開口部１５と下側開口部１６とが互いに向かい合うようにしてそれぞれ形成されている。
【００２６】
そして、上述の収納ケース１にあっては、第一平面部１１と第二平面部１２との間にマスク収容空隙Ｓが形成されている。
【００２７】
さらに、本体部１０における上側開口部１５の開口縁には凹凸形状の凹凸部が形成されており、具体的には第一平面部１１と第二平面部１２とに、他の部位に対して凹状となった上側凹溝部２１，２１がそれぞれ形成されている。
【００２８】
一方、本体部１０の下側開口部１６の開口縁にも凹凸形状の凹凸部が形成されており、具体的には第一平面部１１と第二平面部１２とに、他の部位に対して凹状となった下側凹溝部２２，２２がそれぞれ形成されている。さらに、下側凹溝部２２の最も窪んだ底端部には、凹凸形状からなるマスク耳掛け部引掛部２５が設けられている。
【００２９】
また、下側開口部１６の開口縁のうちマスク耳掛け部引掛部２５に隣接する部位には、平坦部２７が形成されている。
【００３０】
また、第二平面部１２の上側部には、マスク耳掛け部通し孔部２９が貫通状に形成されている。
【００３１】
これまでに述べた構成にあって、マスク収容空隙Ｓには、折り畳まれた状態のマスクが収容される。ここで、マスクＭは、例えば図２に示すように、マスク本体Ｍ１が左右方向に折り畳まれ、その後上下方向に折り畳まれた４つ折り状態でマスク収容空隙Ｓに収容することが可能である。
【００３２】
このようにマスクＭは折り畳まれた状態でマスク収容空隙Ｓに収容されるため、例えばマスク本体Ｍ１の使用者側となる面を内側となるように折り畳めば、収納時に当該面が汚染されてしまうことを防止できる。なお、マスク収容空隙Ｓは、第一平面部１１と第二平面部１２との間に形成されているため、例えば使用者の指等が触れてしまうことを抑制でき、所要の衛生状態を維持することができる。
【００３３】
ところで、マスクＭが収納ケース１のマスク収容空隙Ｓに収容される際には、マスクＭのマスク耳掛け部Ｍ２を収納ケース１の上側開口部１５側となるように収容して、図３に示すように、マスク耳掛け部Ｍ２を上側凹溝部２１に通して下側凹溝部２２のマスク耳掛け部引掛部２５に引っ掛けることができる。このときに、例えば図３（ａ）に示すように、マスク耳掛け部Ｍ２を第一平面部１１側のみを通るようにしてマスク耳掛け部引掛部２５に引っ掛けてもよいし、例えば図３（ｂ）に示すように、本体部１０の側面に回り込ませてからマスク耳掛け部引掛部２５に引っ掛けてもよい。このように、マスク耳掛け部Ｍ２の引っ掛け態様は、紐の長さに応じて適宜選択することができる。
【００３４】
なお、マスク収容空隙Ｓから外部に露出したマスク耳掛け部Ｍ２は、下側凹溝部２２内を通るため、収納ケース１は本体部１０が平坦部２７を底部として起立可能となる。
【００３５】
また、図４に示すように、マスク収容空隙Ｓに収容されたマスクＭのマスク耳掛け部Ｍ２をマスク耳掛け部通し孔部２９に通して外部に引き出し、当該マスク耳掛け部Ｍ２を所定の位置に引っ掛けて全体を吊り下げることも可能である。
【００３６】
なお、収容可能なマスクＭの形態は様々であり、平面型であったり立体型であったり種々のタイプのマスクが収容可能である。また、マスクＭの素材も限定されず、不織布であったりウレタン素材であったりしても構わない。
【００３７】
また、例えば図５に示すように、下側開口部１６の開口縁に、下側に突き出された足部３１が複数形成された収納ケース２でもよい。かかる構成は、足部３１の下端部に平坦部３５が形成されているため、当該平坦部３５で本体部１０を起立状態とすることができる。また、足部３１の根端部をマスク耳掛け部引掛部２５とすることも可能である。
【００３８】
また、例えば図６に示すように、先端の尖った形状の足部４１が形成された収納ケース３とし、かかる足部４１の下端部で本体部１０を起立状態とするようにしてもよい。また、足部４１の根端部をマスク耳掛け部引掛部２５とすることも可能である。
【００３９】
また、例えば第一平面部１１や第二平面部１２に、種々の動物やキャラクター等を描き、上述の足部３１，４１をそれらの手足に見立てて意匠性のある収納ケースとすることもできる。
【００４０】
また、下側開口部１６の開口縁のみならず、上側開口部１５の開口縁においても、同様の構造としてもよいし、上側開口部１５は上側凹溝部２１が形成されていない平坦な形状であっても構わない。
【００４１】
また、上側開口部１５や下側開口部１６の開口縁形状は、第一平面部１１側と第二平面部１２側とで同一である必要はなく、互いに異なる形状であってもよい。
【００４２】
また、以下の別例が提案される。
すなわち、これまでに述べた収納ケースは、収納対象物がマスクであり、マスクケースとして使用されるものであるが、その他のものが収納対象物となってもよい。例えば、収納対象物として、いわゆるレジ袋、買い物用バッグ、アパレル小物（ハンカチ、下着あるいは靴下など）が提案される。例えば買い物用バッグを本考案にかかる収納ケースに収容した場合には、きれいに畳んで持ち運ぶ必要がなくなり、紐通し孔部に買い物用バッグの紐状の手持ち部分を通して使用することも可能となる。
【００４３】
また、アパレル小物を収容対象物とした場合には、図７に示すように陳列棚上において縦置きの状態で整理整頓することが可能となり、従来のように商品を重ねて保管する形態に比べ、色や枚数が把握しやすくなる利点がある。
【符号の説明】
【００４４】
１，２，３    収納ケース
１０          本体部
１１          第一平面部
１２          第二平面部
１５          上側開口部
１６          下側開口部
２１          上側凹溝部
２２          下側凹溝部
２５          マスク耳掛け部引掛部（紐引掛部）
２７，３５    平坦部
２９          マスク耳掛け部通し孔部（紐通し孔部）
３１，４１    足部
Ｍ            マスク（収容対象物）
Ｍ１          マスク本体
Ｍ２          マスク耳掛け部（紐部）
Ｓ            マスク収容空隙（収容空隙）
【図１】
0003228134.tif 000003
【図２】
0003228134.tif 000004
【図３】
0003228134.tif 000005
【図４】
0003228134.tif 000006
【図５】
0003228134.tif 000007
【図６】
0003228134.tif 000008
【図７】
0003228134.tif 000009